(57)【要約】【課題】脱水等の動作中の内蓋のガタつきを抑制し、騒音の発生を抑制して静音性の高い洗濯機を提供する。【解決手段】筐体１と、筐体１内に防振支持される外槽３と、外槽３内に回転自在に配設される内槽４と、筐体１の上面に設けられる衣類投入口を開閉自在に閉塞する外蓋１４と、外槽３の上部開口を覆う外槽カバー１１と、外槽カバー１１に形成される開口部を開閉自在に閉塞する内蓋１３とを備え、外槽カバー１１の上面に軸支部３７ａ、３７ｂを形成するとともに、突起部３４を形成し、内蓋１３の一端側に軸支部３７ａ、３７ｂに対応して内蓋１３を回動自在に支持する支持部３１を形成するとともに、内蓋１３の開放状態で突起部３４を挟持する突出部３３を形成する。【選択図】図３
2019187508.tif 000002
【特許請求の範囲】
【請求項１】
外装を構成する筐体と、前記筐体内に防振支持される外槽と、前記外槽内に回転自在に配設される内槽と、前記筐体の上面に設けられる衣類投入口を開閉自在に閉塞する外蓋と、前記外槽の上部開口を覆う外槽カバーと、前記外槽カバーに形成される開口部を開閉自在に閉塞する内蓋とを備え、
前記外槽カバーの上面に軸支部を形成するとともに、突起部を形成し、前記内蓋の一端側に前記軸支部に対応して前記内蓋を回動自在に支持する支持部を形成するとともに、前記内蓋の開放状態で前記突起部を挟持する突出部を形成する洗濯機。
【請求項２】
外装を構成する筐体と、前記筐体内に防振支持される外槽と、前記外槽内に回転自在に配設される内槽と、前記筐体の上面に設けられる衣類投入口を開閉自在に閉塞する外蓋と、前記外槽の上部開口を覆う外槽カバーと、前記外槽カバーに形成される開口部を開閉自在に閉塞する内蓋とを備え、
前記外槽カバーの上面に軸支部を形成するとともに、突起部を形成し、前記内蓋の一端側に前記軸支部に対応して前記内蓋を回動自在に支持する支持部を形成するとともに、前記内蓋の開放状態で前記突起部に挟持される突出部を形成する洗濯機。
【請求項３】
前記突出部は、前記内蓋を開けた状態で、前記突起部から回避した位置に回動する請求項１または２に記載の洗濯機。
【発明の詳細な説明】
【技術分野】
【０００１】
本発明は、洗濯物を洗濯する洗濯機に関するものである。
【背景技術】
【０００２】
洗濯機に乾燥機能を設けて、洗濯機能と乾燥機能とを任意に選択して洗濯から乾燥までを自動的に実施する洗濯乾燥機が知られている（例えば、特許文献１参照）。
【０００３】
図９は、従来の洗濯乾燥機を示す断面図である。
【０００４】
図９において、筐体１内に外槽３がサスペンション２により防振支持されている。外槽３内に内槽４が配設され、内槽４の底部には、攪拌翼６が設けられ、内槽４及び攪拌翼６はクラッチ９による駆動切換によりモータ８によって個別に回転駆動される。筐体１の上部に設けられた外蓋６３を開き、外槽３の上部開口を閉じる外槽カバー６４に設けられた内蓋６５を開いて内槽４内に洗濯物及び洗剤を投入する。内槽４内に注水してモータ８により攪拌翼６を回転させることにより洗濯行程が実施する。
【０００５】
洗濯行程が終了すると、内槽４内の水を排水した後、モータ８により内槽４を回転させて遠心力により洗濯物に含まれる水を内槽４の周壁に形成された多数の小孔から排出する脱水行程が実施される。脱水行程が終了すると、注水、攪拌、排水、脱水を行うすすぎ行程が実施されることにより洗濯の行程は終了する。
【０００６】
この洗濯行程に加えて乾燥行程が実施できるように、内槽４内から外槽３内に通じて熱交換器１２、循環ファン１８、ヒータ１９を経て再び内槽４内に戻る空気循環経路が形成されている。攪拌翼６によって洗濯物を攪拌しながら、ヒータ１９により加熱された温風を循環ファン１８により内槽４内に送給すると、洗濯物の水分を奪った温風は、内槽４の小孔から外槽３内に出て熱交換器１２内を通過することにより、水分を含む温風は冷却されて水分の結露が生じて除湿される。除湿された空気は、循環ファン１８により再びヒータ１９に送られて加熱され、内槽４内に送給される。この空気循環を繰り返すことにより洗濯物の乾燥がなされる。
【０００７】
上記のように洗濯機に乾燥機能を設けて洗濯乾燥機としたとき、外槽３の上部開口を閉じる外槽カバー６４及び内蓋６５が設けられている。外槽カバー６４及び内蓋６５は、内蓋６５の軸を外槽カバー６４の軸受部に軸支している。
【先行技術文献】
【特許文献】
【０００８】
【特許文献１】特開２００４−３１３４１８号公報
【発明の概要】
【発明が解決しようとする課題】
【０００９】
しかしながら、前記従来の構成では、外槽カバーの軸受けに内蓋の軸を軸支する構成のため、外槽カバーの軸受けと内蓋の軸との間には隙間が必要であり、ガタつきが発生し、脱水時等の振動により異常音が発生する課題があった。
【００１０】
本発明は、前記従来の課題を解決するもので、脱水時等の振動による異常音の発生を抑制し、静音性の高い洗濯機を提供することを目的とする。
【課題を解決するための手段】
【００１１】
前記従来の課題を解決するために、本発明の洗濯機は、外装を構成する筐体と、前記筐体内に防振支持される外槽と、前記外槽内に回転自在に配設される内槽と、前記筐体の上面に設けられる衣類投入口を開閉自在に閉塞する外蓋と、前記外槽の上部開口を覆う外槽カバーと、前記外槽カバーに形成される開口部を開閉自在に閉塞する内蓋とを備え、前記外槽カバーの上面に軸支部を形成するとともに、突起部を形成し、前記内蓋の一端側に前記軸支部に対応して前記内蓋を回動自在に支持する支持部を形成するとともに、前記内蓋の開放状態で前記突起部を挟持する突出部を形成するものである。
【００１２】
また、本発明の洗濯機は、外装を構成する筐体と、前記筐体内に防振支持される外槽と、前記外槽内に回転自在に配設される内槽と、前記筐体の上面に設けられる衣類投入口を開閉自在に閉塞する外蓋と、前記外槽の上部開口を覆う外槽カバーと、前記外槽カバーに形成される開口部を開閉自在に閉塞する内蓋とを備え、前記外槽カバーの上面に軸支部を形成するとともに、突起部を形成し、前記内蓋の一端側に前記軸支部に対応して前記内蓋を回動自在に支持する支持部を形成するとともに、前記内蓋の開放状態で前記突起部に挟持される突出部を形成するものである。
【発明の効果】
【００１３】
本発明の洗濯機は、脱水時等の振動による騒音を抑制し、静音性を高くできる洗濯機を提供することができる。
【図面の簡単な説明】
【００１４】
【図１】本発明の実施の形態１における洗濯乾燥機の全体構成を示す断面図
【図２】同洗濯乾燥機の制御回路構成を示すブロック図
【図３】同洗濯乾燥機の外槽カバー及び内蓋の構成を示す平面図
【図４】同洗濯乾燥機の内蓋を開いた状態を示す図３におけるＦ−Ｆ断面図
【図５】同洗濯乾燥機の内蓋を閉じた状態を示す図３におけるＦ−Ｆ断面図
【図６】同洗濯乾燥機の外槽カバーから内蓋を取り外した状態を示す平面図
【図７】同洗濯乾燥機の内蓋を閉じた状態の要部拡大断面図
【図８】同洗濯乾燥機の内蓋を開いた状態の要部拡大断面図
【図９】従来の洗濯乾燥機の全体構成を示す断面図
【発明を実施するための形態】
【００１５】
第１の発明は、外装を構成する筐体と、前記筐体内に防振支持される外槽と、前記外槽内に回転自在に配設される内槽と、前記筐体の上面に設けられる衣類投入口を開閉自在に閉塞する外蓋と、前記外槽の上部開口を覆う外槽カバーと、前記外槽カバーに形成される開口部を開閉自在に閉塞する内蓋とを備え、前記外槽カバーの上面に軸支部を形成するとともに、突起部を形成し、前記内蓋の一端側に前記軸支部に対応して前記内蓋を回動自在に支持する支持部を形成するとともに、前記内蓋の開放状態で前記突起部を挟持する突出部を形成するものである。
【００１６】
これにより、内蓋のガタつきを抑え、脱水時の振動による異常音の発生を抑制し、静音性を高めることができる。
【００１７】
第２の発明は、外装を構成する筐体と、前記筐体内に防振支持される外槽と、前記外槽内に回転自在に配設される内槽と、前記筐体の上面に設けられる衣類投入口を開閉自在に閉塞する外蓋と、前記外槽の上部開口を覆う外槽カバーと、前記外槽カバーに形成される開口部を開閉自在に閉塞する内蓋とを備え、前記外槽カバーの上面に軸支部を形成するとともに、突起部を形成し、前記内蓋の一端側に前記軸支部に対応して前記内蓋を回動自在に支持する支持部を形成するとともに、前記内蓋の開放状態で前記突起部に挟持される突
出部を形成するものである。
【００１８】
これにより、内蓋のガタつきを抑え、脱水時の振動による異常音の発生を抑制し、静音性を高めることができる。
【００１９】
第３の発明は、特に、第１または第２の発明の突出部は、前記内蓋を開けた状態で、前記突起部から回避した位置に回動するものである。
【００２０】
内蓋を開けた状態で、突起部から回避した位置に回動するので、内蓋の取付作業性が損なわれることがない。
【００２１】
以下、本発明の実施の形態について、図面を参照しながら説明する。尚、以下に示す実施の形態は、本発明を具体化した一例であって、本発明の技術的範囲を限定するものではない。また、従来構成と共通の構成要素には同一の符号を付して説明を省略する。
【００２２】
図１は、本実施の形態に係る洗濯乾燥機の全体構成を示す断面図である。本実施の形態の洗濯乾燥機は、洗濯及び脱水の機能に加えて乾燥機能が設けられている。
【００２３】
筐体１内には、外槽３が複数のサスペンション２によって弾性的に吊り下げられた防振構造によって支持され、脱水時の振動をサスペンション２によって吸収できるように構成されている。外槽３内には、内槽４が配設され、内槽４底部に攪拌翼６が配設されている。攪拌翼６と内槽４とは、外槽３の底部に取り付けられたモータ８の回転をクラッチ９により切り換えることにより回転駆動される。
【００２４】
前記外槽３の上部開口は、外槽カバー１１によって閉じられており、外槽カバー１１には、内蓋１３を開閉自在に設けている。外槽カバー１１には、上部開口する内槽４内に通じるように温風噴出口２０と、それに平行する位置に給水口１６とが設けられている。また、外槽３の底部には、排水口２１と、排気口２２とが設けられ、排水口２１は、外槽３内の水を排水弁２６を通じて外部に排出できるように構成されている。
【００２５】
排気口２２は、乾燥用空気の循環路を形成するもので、温風噴出口２０から内槽４内に送給された温風が内槽４内の洗濯物の水分を奪い、内槽４の周面に形成された小孔（図示せず）から外槽３内に出てきた湿気を含む空気を外部に導き出す。排気口２２は、下部蛇腹ホース２３、循環路切換弁２４を経て熱交換器１２に接続される。熱交換器１２は、循環ファン１８及びヒータ１９が設けられた送風管路３５を経て上部蛇腹ホース１７から温風噴出口２０に接続され、循環ファン１８による送風によって乾燥用空気の循環経路が形成される。
【００２６】
筐体１の上部は、外蓋１４を開閉自在に設けた筐体カバー１５によって閉じられる。筐体カバー１５の外表面には、図示しない操作パネルが設けられ、操作パネルからの操作情報は、筐体カバー１５内に配設された制御装置１０に入力され、制御装置１０による各部の制御により、洗濯及び乾燥の動作が行われる。
【００２７】
外蓋１４及び内蓋１３を開いて内槽４内に洗濯物を投入し、操作パネルから洗濯コース、乾燥コース、あるいは洗濯から乾燥までを継続するコースを設定する。更には、洗濯条件あるいは乾燥条件を選択すると、制御装置１０は、設定選択された内容に応じた制御により自動的に洗濯行程及び乾燥行程を実行する。
【００２８】
図２は、制御装置１０による制御回路構成を示すもので、制御装置１０は、マイクロコンピュータによって構成された制御手段４０、モータ８に制御電力を供給するモータ駆動
回路４１、ヒータ１９、循環ファン１８、クラッチ９、循環路切換弁２４、排水弁２６などをスイッチング制御するパワースイッチング手段４２、設定入力あるいは異常状態を音響報知する報知手段４５、制御動作に必要な情報を記憶する記憶手段４６、モータ８の回転数を検出する回転数検知手段４７、内槽４内に収容されている洗濯物の量を検出する布量検知手段４８、モータ８や制御回路に動作電力を供給する電源回路５０を備えて構成されている。
【００２９】
制御手段４０には、内槽４内の水量を検出する水量検知手段４９からの検出出力が入力され、操作パネルに設けられた操作ボタンである設定入力手段４３からの設定情報が入力される。また、設定入力された状態や異常状態などは、操作パネルに設けられた操作表示手段４４に表示される。電源コードを電源コンセントに差し込むことにより洗濯乾燥機はＡＣ電源５１に接続され、操作パネル上に設けられた電源ボタンの操作により電源スイッチ５２がＯＮ動作して制御回路に通電され、洗濯乾燥機は運転可能状態となる。
【００３０】
洗濯行程では、外蓋１４及び内蓋１３を開いて内槽４内に洗濯物と洗剤とを投入し、操作パネルから洗濯又は洗濯に引き続き乾燥を実施する設定入力を行うと共に、洗濯コースの選択及び／又は乾燥コースを選択する。
【００３１】
スタートボタンにより運転開始の入力がなされると、制御装置１０は、クラッチ９によりモータ８を攪拌翼６に接続し、攪拌翼６を回転させて布量検知手段４８により投入された洗濯物の量を検出し、図示しない給水弁を開いて内槽４内に洗濯物の量に対応する所定水位まで給水する。所定水位まで給水がなされると、モータ８により攪拌翼６を回転駆動することによって洗濯物及び水を攪拌する洗濯動作が行われる。
【００３２】
洗濯行程が終了すると、排水弁２６を開いて内槽４及び外槽３内の水を外部に排水し、クラッチ９によりモータ８を内槽４に接続してモータ８の回転により内槽４を回転駆動する。内槽４の回転による遠心力により洗濯物に含まれた水分を分離し、内槽４に形成された小孔から外槽３内に排出する脱水が実施され、排水弁２６を開いて脱水された水を外部に排出する。
【００３３】
脱水動作を行った後、排水弁２６を閉じ、給水弁を開いて内槽４内に給水し、攪拌翼６を回転させて洗濯物を攪拌し、内槽４を回転させて脱水するすすぎ行程が実施されて洗濯物に含まれる洗剤成分の除去を行う。
【００３４】
洗濯行程の終了後、引き続いて乾燥行程を実施する設定がなされている場合には、排水弁２６を閉じ、循環路切換弁２４を開いて空気の循環経路を形成する。攪拌翼６を正転、逆転させる回転動作により脱水によって内槽４の周壁に張り付いている洗濯物を引き剥がす攪拌動作を行いつつ、ヒータ１９及び循環ファン１８に通電して循環経路に空気を循環させる乾燥動作が実行される。
【００３５】
循環ファン１８から送風された空気がヒータ１９によって加熱されて温風となり、温風は、上部蛇腹ホース１７、温風噴出口２０を通じて内槽４内に送給され、攪拌される洗濯物から水分を蒸発させる。水分を含んだ空気は、内槽４の周面の小孔から外槽３内に出て、排気口２２、下部蛇腹ホース２３、循環路切換弁２４を経て熱交換器１２を通る。熱交換器１２を通過する際、熱交換器１２が図示しない送風機によって空冷されること、及び／又は熱交換器１２内に水が噴射されることにより冷却されるため、水分の結露が生じて除湿される。除湿された空気は、再び循環ファン１８によりヒータ１９に向けて送り出され、ヒータ１９で加熱された温風は、再び内槽４内に送給される。この空気循環により洗濯物は乾燥される。
【００３６】
図３は、本実施の形態の外槽カバー及び内蓋の構成を示す平面図、図４は、同内蓋を開いた状態を示す断面図、図５は、同内蓋を閉じた状態を示す断面図、図６は、同外槽カバーから内蓋を取り外した状態を示す平面図、図７は、同内蓋を閉じた状態の要部拡大断面図である。
【００３７】
図３〜図７に基づき、外槽カバー１１及び内蓋１３の構成を説明する。外槽３の上部開口には、外槽カバー１１が上部開口を密閉するように取り付けられる。
【００３８】
外槽カバー１１の上面には、一対の略Ｌ字状の軸支部３７ａ、３７ｂが形成されており、軸支部３７ａ、３７ｂは、外周側が内蓋１３側に延設され、内周側に軸受部３７ｃが形成されている。軸支部３７ａ、３７ｂの間には、当接部３２が形成されている。当接部３２は、内蓋１３から離間する側が高くなる断面略Ｌ字状に形成されており、内蓋１３に形成した突出部３３が当接し、内蓋１３を開放した状態と、閉成した状態に保持するように構成している。当接部３２には、略中央部の内蓋１３側に突起部３４を形成している。
【００３９】
内蓋１３には、一端側に外槽カバー１１の軸支部３７ａ、３７ｂに対応して支持部３１が形成されている。支持部３１の一端側には、固定軸３１ａが形成され、他端側には、図示しないバネによって外周側に付勢される可動軸３１ｂが配設される。内蓋１３は、固定軸３１ａを一方の軸受部３７ｃに軸支し、可動軸３１ｂを移動させることにより他方の軸受部３７ｃに軸支して装着する。可動軸３１ｂを設けることにより軸支部３７ａ、３７ｂと支持部３１とのがたつきを減少させることができる。
【００４０】
内蓋１３には、当接部３２に対応して突出部３３を形成している。突出部３３は、突起部３４に対応して凹部３８が形成されており、内蓋１３を閉じた状態で、突起部３４が凹部３８に嵌入し、突出部３３間に突起部３４が挟持され、軸支部３７ａ、３７ｂと支持部３１との間のがたつきを防止する。
【００４１】
当接部３２の下方位置には、内蓋１３を開放した状態で、突出部３３が突起部３４を回避して位置するくぼみ部３６を形成している。
【００４２】
内蓋１３には、支持部３１に対向して他端側にフック部３９を設けており、内蓋１３を閉じた状態で、フック部３９を外槽カバー１１に係合し、内蓋１３の他端側をガタつきなく閉じた状態を保持するように構成している。
【００４３】
本実施の形態の洗濯乾燥機において、洗濯、脱水、乾燥の行程がなされるとき、脱水時の振動が外槽カバー１１から内蓋１３へ伝えられるが、内蓋１３を閉じた状態で、突起部３４が凹部３８に嵌入し、突出部３３間に突起部３４が挟持され、軸支部３７ａ、３７ｂと支持部３１との間のガタつきを防止する。これにより、異常音の発生を抑制し、静音性の高い脱水を行うことができ、夜間に運転するような場合にも適した洗濯乾燥機となる。
【００４４】
なお、本実施の形態では、外槽カバー１１に形成した突起部３４を内蓋１３に形成した突出部３３が挟持する構成としたが、外槽カバー１１に形成した突起部３４が内蓋１３に形成した突出部３３を挟持する構成としてもよい。
【００４５】
また、本実施の形態は、洗濯乾燥機を例にとり説明したが、洗濯乾燥機に限定するものではなく、洗濯機にも適用できる。
【産業上の利用可能性】
【００４６】
以上のように、本発明に係る洗濯機は、異常音の発生を抑制し、静穏性の高い運転を行うことが可能となるので、実施の形態のように洗濯乾燥機や、家庭用だけでなく、業務用
にも適用できる。
【符号の説明】
【００４７】
１  筐体
２  サスペンション
３  外槽
４  内槽
６  攪拌翼
８  モータ
１１  外槽カバー
１２  熱交換器
１３  内蓋
１４  外蓋
１５  筐体カバー
１７  上部蛇腹ホース
１８  循環ファン
１９  ヒータ
２０  温風噴出口
２１  排水口
２２  排気口
２３  下部蛇腹ホース
２４  循環路切換弁
３１  支持部
３１ａ  固定軸
３１ｂ  可動軸
３２  当接部
３３  突出部
３４  突起部
３５  送風管路
３７ａ  軸支部
３７ｃ  軸受部
３８  凹部
３９  フック部
【図１】
2019187508.tif 000003
【図２】
2019187508.tif 000004
【図３】
2019187508.tif 000005
【図４】
2019187508.tif 000006
【図５】
2019187508.tif 000007
【図６】
2019187508.tif 000008
【図７】
2019187508.tif 000009
【図８】
2019187508.tif 000010
【図９】
2019187508.tif 000011